【手続補正書】
【提出日】平成31年1月24日(2019.1.24)
【手続補正１】
【補正対象書類名】特許請求の範囲
【補正対象項目名】全文
【補正方法】変更
【補正の内容】
【特許請求の範囲】
【請求項１】
空気吸入開口を持つハウジング、及び
前記ハウジングの複数の受容部に結合されるフィルタ組立体
を有する気道内圧支持システムにおいて、
前記フィルタ組立体は、前記空気吸入開口と流体連通し、前記フィルタ組立体は、
第１の側壁、前記第１の側壁の反対側にある第２の側壁、前記第１の側壁と前記第２の側壁との間に設けられる前壁、前記前壁と前記第１の側壁と前記第２の側壁とに接続される上壁、及び前記上壁の反対側にあり、その中に形成される第１の開口を有する底壁を持つハウジング部、
第１のフィルタ媒体部が前記第１の開口を覆う、並びに前記第１のフィルタ媒体部、前記第１の側壁、前記第２の側壁、前記前壁、前記上壁及び前記底壁が前記前壁の反対側にあり、前記第１の開口と流体連通している第２の開口を持つチャンバを形成するように、前記第１のフィルタ媒体部は前記底部に取り付けられる前記第１のフィルタ媒体部、
前記第１の側壁に設けられる第１のばね部材、並びに
前記第２の側壁に設けられる第２のばね部材を有し、前記第１及び第２のばね部材は各々、フローティング部を持ち、前記複数の受容部と係合し、封止力を前記フィルタ組立体に及ぼすようにする、気道内圧支持システム。
【請求項２】
前記フィルタ組立体は、微粒子フィルタ部材に結合される粗粒子フィルタ部材を有する、請求項１に記載の気道内圧支持システム。
【請求項３】
前記ハウジング部、前記第１のフィルタ媒体部、並びに前記第１及び第２のばね部材は、前記粗粒子フィルタ部材の部品であり、前記微粒子フィルタ部材は、前記第１のフィルタ媒体部と直列に位置決められる第２のフィルタ媒体部を含み、前記第２のフィルタ媒体部は、前記第１のフィルタ媒体部よりも小さな粒子の大きさを濾過するように構成され、前記第１及び第２のばね部材は、前記複数の受容部と係合し、前記封止力を前記粗粒子フィルタ部材及び前記微粒子フィルタ部材に及ぼすようにする、請求項２に記載の気道内圧支持システム。
【請求項４】
前記微粒子フィルタ部材は、前記粗粒子フィルタ部材に解放可能で結合される、請求項２又は３に記載の気道内圧支持システム。
【請求項５】
前記微粒子フィルタ部材は、フレーム部材を含み、前記第２のフィルタ媒体部は、前記フレーム部材に取り付けられ、前記ハウジング部は、前記微粒子フィルタ部材が前記粗粒子フィルタ部材に解放可能で結合されることを可能にするために、前記フレーム部材の多数の第２の機構と嵌合されるように構成される多数の第１の機構を含む、請求項４に記載の気道内圧支持システム。
【請求項６】
前記多数の第１の機構は、前記ハウジング部に設けられる多数の縁部を含み、前記多数の第２の機構は、前記フレーム部材に設けられる多数の溝を含む、請求項５に記載の気道内圧支持システム。
【請求項７】
前記第１のばね部材は、前記第１の側壁に接続される第１の近位端を持つ第１のアーム部材を有し、前記第２のばね部材は、前記第２の側壁に接続される第２の近位端を持つ第２のアーム部材を有する、請求項１乃至６の何れか一項に記載の気道内圧支持システム。
【請求項８】
前記第１のばね部材のフローティング部は、前記第１のアーム部材の浮いている第１の遠位端であり、前記第２のばね部材のフローティング部は、前記第２のアーム部材の浮いている第２の遠位端であり、前記浮いている第１の遠位端は、前記ハウジングの前記複数の受容部の第１の受容部と係合し、前記浮いている第２の遠位端は、前記ハウジングの前記複数の受容部の第２の受容部と係合する、請求項７に記載の気道内圧支持システム。
【請求項９】
前記ハウジング部、前記第１のばね部材及び前記第２のばね部材は、一体である構成要素である、請求項７又は８に記載の気道内圧支持システム。
【請求項１０】
前記第１のアーム部材は、前記第１の近位端に直接接続される第１の湾曲部、及び前記第１のアーム部材の遠位端に第１の弧状部を含み、前記第２のアーム部材は、前記第２の近位端に直接接続される第２の湾曲部、及び前記第２のアーム部材の遠位端に第２の弧状部を含む、請求項７、８又は９に記載の気道内圧支持システム。
【請求項１１】
前記複数の受容部は、第１のスロット部材及び第２のスロット部材を含み、前記第１のばね部材は、前記第１のスロット部材内に受容され、前記第２のばね部材は、前記第２のスロット部材内に受容される、請求項１乃至１０の何れか一項に記載の気道内圧支持システム。
【請求項１２】
フィルタ器具を介して装置に供給されるガスを用いる、前記装置のハウジングに結合されるように構成される前記フィルタ器具において、前記フィルタ器具は、
第１の側壁、前記第１の側壁の反対側にある第２の側壁、前記第１の側壁と前記第２の側壁との間に設けられる前壁、前記前壁と前記第１の側壁と前記第２の側壁とに接続される上壁、及び前記上壁の反対側にあり、その中に形成される第１の開口を有する底壁を持つハウジング部、
第１のフィルタ媒体部が前記第１の開口を覆う、並びに前記第１のフィルタ媒体部、前記第１の側壁、前記第２の側壁、前記前壁、前記上壁及び前記底壁が前記前壁の反対側にあり、前記第１の開口と流体連通している第２の開口を持つチャンバを形成するように、前記底部に取り付けられる前記第１のフィルタ媒体部、並びに
前記第１の側壁に設けられる第１のばね部材及び前記第２の側壁に設けられる第２のばね部材
を有し、前記第１及び第２のばね部材は各々、フローティング部を持ち、封止力を前記フィルタ器具に及ぼすようにするために、前記装置のハウジングの複数の受容部と係合するように構成される、フィルタ器具。
【請求項１３】
請求項１２に記載のフィルタ器具を含むフィルタ組立体において、前記フィルタ器具は、粗粒子フィルタ部材を有し、前記フィルタ組立体はさらに、前記粗粒子フィルタ部材に解放可能で結合される微粒子フィルタ部材を有し、前記微粒子フィルタ部材は、前記第１のフィルタ媒体部に直列に位置決められる第２のフィルタ媒体部を含み、前記第２のフィルタ媒体部は、前記第１のフィルタ媒体部よりも小さな粒子の大きさを濾過するように構成され、前記第１及び第２のばね部材は、前記封止力を前記粗粒子フィルタ部材及び前記微粒子フィルタ部材に及ぼすようにするために、前記複数の受容部と係合するように構成される、フィルタ組立体。
【請求項１４】
開口を形成する内部フレーム部であり、前記開口の周りに位置決められる複数の内壁を含む前記内部フレーム部、及び複数の外壁を含む外部フレーム部を含むフレーム部、並びに
前記フレーム部に取り付けられ、前記開口を覆うフィルタ媒体部
を有するフィルタ部材において、
前記内壁の第１の壁及び前記外壁の第１の壁は第１の溝を形成し、前記内壁の第２の壁及び前記外壁の第２の壁は第２の溝を形成し、前記第１の溝は、第２のフィルタ部材のハウジング部の第１の部分を受容するように構成され、前記第２の溝は、前記第２のフィルタ部材の前記ハウジング部の第２の部分を受容するように構成され、前記内部フレーム部は、前記フィルタ部材を前記第２のフィルタ部材に解放可能で固定するために、前記第２のフィルタ部材の前記ハウジング部内に受容されるように構成される、フィルタ部材。
【請求項１５】
前記内壁の前記第１の壁、前記外壁の前記第１の壁、前記内壁の前記第２の壁及び前記外壁の前記第２の壁は各々、そこから外側へ延在し、前記第１の溝及び前記第２の溝の夫々の溝内に入る多数の突起部材を含む、請求項１４に記載のフィルタ部材。